(57)【要約】【課題】雨樋などで集水した雨水を貯留して、庭やプランターの植物栽培や打ち水などの散水に有効利用することを目的とした、庭の景観や街並に馴染む素材で、在庫や運搬が容易、組立てや解体が容易、メンテナンスが容易、貯留槽の増設や他設備とのシステム化が可能、比較的安価である、などの要件を満たした雨水貯留槽を提供する。【解決手段】複数の木の板１にシート２を貼付けて連結した面材３を、芯材５に巻き付けて筒形７を組立て、その外側から外輪１２を嵌めて雨水貯留槽の構造体１４を形成する。構造体１４の中の底板８に軟質樹脂製の防水袋９を載せ、防水袋９に設けた配管継手１０を底板８や面材３に設けた貫通穴１１に取付ける。構造体１４を木製の土台１５の上に載せ、注排水のための配管を行う。防水袋９の開口部は内輪１７を用いて固定し、その上に蓋１８と蓋外輪１９を嵌める。以上のような構成の雨水貯留槽を提供する。【選択図】図２
0003147989.tif 000002
【実用新案登録請求の範囲】
【請求項１】
木材または木質系材料でできた複数の細長い板を平に近接して並べ、それらの裏側に当たる面に曲折自在なシートまたは帯などを貼付け連結して成した面材を、円形または多角形の板状あるいは輪状の芯材に巻いて筒形に組立て、その外側から外輪を嵌めあるいは線材などで括って構造体と成した内側に、軟質樹脂製の防水袋を装着して、雨水を溜め注排水ができるようにしたことを特徴とする雨水貯留槽。
【請求項２】
細長い板を連ねた一方向に曲折自在な面材の内側に帯状の面ファスナーを取付け、厚みのある円形または多角形の板状あるいは輪状の芯材の外周面に前記面ファスナーの対となる面ファスナーを取付け、前記面材と前記芯材とを面ファスナーを介して接合させて筒形を形成することを特徴とする請求項１の雨水貯留槽。
【請求項３】
細長い板を連ねた一方向に曲折自在な面材の内側にダボ穴を設け、厚みのある円形または多角形の板状あるいは輪状の芯材の外周面にもダボ穴を設け、前記面材と前記芯材とをダボを介して接合させて筒形を形成することを特徴とする請求項１の雨水貯留槽。
【請求項４】
細長い板を連ねた一方向に曲折自在な面材の内側に突起を設け、円形または多角形の板状あるいは輪状の芯材の縁を前記突起に載せながら、前記面材を前記芯材に巻いて筒形を形成することを特徴とする請求項１の雨水貯留槽。
【請求項５】
筒形の構造体の内側に嵌まる大きさの内輪に、軟質樹脂製の防水袋の開口部を通して折り返し、前記内輪を前記防水袋に包んだ状態で前記構造体の内側に設けられた内輪の落下を防ぐ凸部の上に載せ、前記防水袋を前記構造体の内側に装着することを特徴とする請求項１、２、３または４の雨水貯留槽。
【請求項６】
軟質樹脂製の防水袋の所定の位置に穴を開け、前記穴を挟んで嵌め合わせて接合する配管継手を設け、外側の構造体に開けた貫通穴を通して配管し、前記防水袋の雨水の注排水を行うことを特徴とする請求項１の雨水貯留槽。
【考案の詳細な説明】
【技術分野】
【０００１】
本考案は、雨樋などで集水した雨水を貯留して、庭やプランターの植物栽培や打ち水などの散水に有効利用することを目的とした、住宅などでの小規模な雨水利用に供するための雨水貯留槽に関する。
【背景技術】
【０００２】
雨樋などで集水した雨水を貯留して、庭やプランターの植物栽培や打ち水などの散水に有効利用する家庭が増えている。従来、この種の目的に供すべく、雨樋に取り付けて雨水を集水する器具には、初期雨水を取り除くものや、ごみを分別するもの、貯留槽からのオーバーフローを防ぐものなど、様々な機能を持ったものがあり、雨水貯留槽も、住宅の敷地に簡単に設置できるもので、容量数十リットルから数百リットルまで様々なサイズのものがある。
【考案の開示】
【考案が解決しようとする課題】
【０００３】
ところが、上述のような雨水貯留槽は、プラスチック製や金属製が多く、住宅の裏方設備の体であり、庭の景観や街並には馴染まない。中には、樽を利用した美しいものもあるが、受注対応の完成品で、重く嵩張り、運搬や設置に多大な労力が要るなど、市場に広く流通するには問題が多い。
【０００４】
そこで、本考案の目的は、庭の景観や街並に馴染む素材で、在庫や運搬が容易、組立てや解体が容易、メンテナンスが容易、貯留槽の増設や他設備とのシステム化が可能、比較的安価である、などの要件を満たした雨水貯留槽を提供することにある。
【課題を解決するための手段】
【０００５】
したがって、上記目的を達成すべく、請求項１に記載の考案に対応して、木材または木質系材料でできた複数の細長い板を平に近接して並べ、それらの裏側に当たる面に曲折自在なシートまたは帯などを貼付け連結して成した面材を、円形または多角形の板状あるいは輪状の芯材に巻いて筒形に組立て、その外側から外輪を嵌めあるいは線材などで括って構造体と成した内側に、軟質樹脂製の防水袋を装着して、雨水を溜め注排水ができるようにした。
【０００６】
請求項２に記載の考案に対応して、請求項１に記載の考案による雨水貯留槽において、細長い板を連ねた一方向に曲折自在な面材の内側に帯状の面ファスナーを取付け、厚みのある円形または多角形の板状あるいは輪状の芯材の外周面に前記面ファスナーの対となる面ファスナーを取付け、前記面材と前記芯材とを面ファスナーを介して接合させて筒形を形成するようにした。
【０００７】
請求項３に記載の考案に対応して、請求項１に記載の考案による雨水貯留槽において、
細長い板を連ねた一方向に曲折自在な面材の内側にダボ穴を設け、厚みのある円形または多角形の板状あるいは輪状の芯材の外周面にもダボ穴を設け、前記面材と前記芯材とをダボを介して接合させて筒形を形成するようにした。
【０００８】
請求項４に記載の考案に対応して、請求項１に記載の考案による雨水貯留槽において、細長い板を連ねた一方向に曲折自在な面材の内側に突起を設け、円形または多角形の板状あるいは輪状の芯材の縁を前記突起に載せながら、前記面材を前記芯材に巻いて筒形を形成するようにした。
【０００９】
請求項５に記載の考案に対応して、請求項１、２、３または４に記載の考案による雨水貯留槽において、筒形の構造体の内側に嵌まる大きさの内輪に、軟質樹脂製の防水袋の開口部を通して折り返し、前記内輪を前記防水袋に包んだ状態で前記構造体の内側に設けられた内輪の落下を防ぐ凸部の上に載せ、前記防水袋を前記構造体の内側に装着するようにした。
【００１０】
請求項６に記載の考案に対応して、請求項１に記載の考案による雨水貯留槽において、軟質樹脂製の防水袋の所定の位置に穴を開け、前記穴を挟んで嵌め合わせて接合する配管継手を設け、外側の構造体に開けた貫通穴を通して配管し、前記防水袋の雨水の注排水を行うことができるようにした。
【考案の効果】
【００１１】
請求項１から出る効果は、次の３点である。すなわち、１点目に、雨水貯留槽の外観の素材が木材または木質系材料であるため、庭の景観や街並に馴染むことである。２点目に、雨水貯留槽は、複数の細長い板を平に近接して並べ、裏側に当たる面に曲折自在なシートまたは帯などを貼付けて連結し、筒形に形成した構造体と、軟質樹脂製の防水袋から構成されているため、平たく拉げて体積を著しく減らすことができ、在庫や運搬が容易になることである。３点目に、雨水貯留槽の防水方法は、軟質樹脂製の防水袋を木材または木質系材料からなる構造体の内側に装着するだけなので、緻密な木材加工やコーキング加工を施す必要がなく、比較的安価に木製または木質系雨水貯留槽を提供することができることである。ひいては、これらの効果は、国内間伐材の需要開拓にも繋がることでもある。
【００１２】
また、請求項２、３、および４から出る効果は、次の通りである。すなわち、雨水貯留槽の構造体は、専門的な技術や特殊な工具または木ネジや接着剤などを使わずに、購入者自身で簡単に組立てることができ、解体しても部材を損なうことがなく、移設も容易に行うことができることである。
【００１３】
さらに、請求項５から出る効果は、次の通りである。すなわち、雨水貯留槽の構造体を解体することなく防水袋だけを簡単に取り出すことができるため、劣化による交換や沈殿物が溜まった場合の洗浄などのメンテナンスが容易に行えることである。
【００１４】
そして、請求項６から出る効果は、次の通りである。すなわち、雨水貯留槽の側面や底面の任意の位置に配管継手を設けることができるため、複数の雨水貯水槽を連結して容量
を増やすことができ、さらには、自動灌水装置や上水給水装置などとのシステム化が可能なことである。
【考案を実施するための最良の形態】
【００１５】
以下、本考案を実施するための最良の形態を図面に基づいて説明する。図１、図２は本考案の実施の一形態を示すものである。図１において、容量約１００リットルの雨水貯留槽の外観を表し、図２において、図１に示した雨水貯留槽の構成をパーツ分解して表している。１６枚の木の板１を耐水加工紙のシート２と接着剤で貼付け連結した一方向に曲折自在な面材３に、面ファスナーＡ面４をタッカーで貼付ける。シート２には、板１を貼り連ねて面材３を形成するとともに、板１どうしの隙間から貯留槽内部に入る光を遮り藻の繁殖を防ぐ作用がある。また、面ファスナーＡ面４を貼付けることで面材３が強化される。積層木材の輪でできた芯材５の外周に面ファスナーＡ面４と対になる面ファスナーＢ面６をタッカーで貼付ける。面材３と上下一対の芯材５を面ファスナーで貼合わせて筒形７を組立てる。筒形７を組立てる半ば途中の段階で、底板８を下側の芯材５の上に載せ、その上に軟質樹脂製の防水袋９を載せて、防水袋９に設けた穴を挟んで嵌め合わせて接合した樹脂製の配管継手１０を底板８や面材３に設けた貫通穴１１に取付ける。組立てた筒形７の上からステンレス丸棒製の外輪１２を小さなピンを差して設けた外輪止め１３の位置まで嵌めて雨水貯留槽の構造体１４を形成する。木製の土台１５に設けた切欠き１６に面材３と芯材５が嵌まるように構造体１４を土台１５に載せる。土台１５に載せる目的は、木製雨水貯留槽の構造体１４の腐食防止と、貯留槽底面への配管を可能にするためである。切欠き１６には、構造体１４と土台１５のズレを防ぐとともに、水圧や外圧による構造体１４の変形を防ぐ作用がある。防水袋９の開口部を積層木材でできた内輪１７に通して折り返し、内輪１７を防水袋９で包んだ状態で上側の芯材５の上に載せる。内輪１７の上に木板の蓋１８を載せて構造体１４の上部に積層木材でできた蓋外輪１９を嵌める。蓋外輪１９には、蓋１８が容易に開けられることを防ぐとともに、水圧や外圧による構造体１４の変形を防ぐ作用がある。配管継手１０に蛇口２０や配管を取付ける。
【００１６】
図３において、図１、図２で示した雨水貯留槽の作用を表している。家屋の縦樋２７の途中に市販のオーバーフロー機能内蔵の雨水集水装置２８を設け、雨水集水装置２８から雨水貯留槽の底板８に設けた配管継手１０までを遮光性のホース２９でつなぎ、降雨時に雨水を雨水貯留槽内に注入して貯留する。蓋１８には気密性がないので、入る雨水の量だけ空気が蓋の隙間から出ていく。雨水貯留槽の面材３に設けた配管継手１０に蛇口２０を取付けて、貯留した雨水を如雨露散水や雑水などに利用する。
【００１７】
図４において、図１、図２で示した雨水貯留槽の図３で示した作用の変体例を表している。家屋の縦樋２７の途中に市販のオーバーフロー機能のない雨水集水装置２８ｂを設けてホース２９ｂをつなぎ、雨水貯留槽の蓋１８に貫通穴を設けてホース２９ｂの片端を通し、降雨時に雨水を雨水貯留槽の中に注入して貯留する。雨水貯留槽の面材３の上部に設けた配管継手１０に２本目のホース２９ｂを接続し、雨水貯留槽が満杯になった場合にオーバーフローした雨水を浸透枡３０や側溝などに流出させる。雨水貯留槽の面材３の下部に設けた配管継手１０に蛇口２０を取付けて、貯留した雨水を如雨露散水や雑水などに利用する。
【００１８】
図５において、図１、図２で示した雨水貯留槽の図３で示した作用の展開例を表している。家屋の縦樋２７の途中に市販のオーバーフロー機能内蔵の雨水集水装置２８を設け、雨水集水装置２８から雨水貯留槽の底板８に設けた配管継手１０までを遮光性のホース２９でつなぎ、降雨時に雨水を雨水貯留槽内に注入して貯留する。蓋１８には気密性がないので、入る雨水の量だけ空気が蓋の隙間から出ていく。ホース２９の途中を三又にしてコック３１を設け、雨水貯留槽の水抜きやホース２９の内部に溜ったゴミの洗い流し、雨水不足時の水道水補給などの用途に利用する。雨水貯留槽の２個目の配管継手１０と２台目の雨水貯留槽の底板８に設けた配管継手１０を遮光性のホース２９でつなぎ、貯留量を倍増する。１台目の雨水貯留槽の２個目の配管継手１０の内部側に管３２を立てて、１台目の雨水貯留槽から２台目の雨水貯留槽への沈殿物の流出を防ぐ。２台目の雨水貯留槽の底板８に設けた２個目の配管継手１０から遮光性のホース２９で市販の自動灌水装置３３や電動ポンプに接続して、貯留した雨水を植物栽培や散水に利用する。２台目の雨水貯留槽の面材３に設けた配管継手１０に蛇口２０を取付けて、貯留した雨水を如雨露散水や雑水などに利用する。
【００１９】
図６において、図１に示した雨水貯留槽の外観に近似し図２に示した構成とは異なる他例をパーツ分解して表している。１６枚の木の板１を耐水加工紙のシート２と接着剤で貼付け連結した一方向に曲折自在な面材３ｂには、ダボ穴２１が設けられている。底板８ｂの外周面にもダボ穴２１が設けられている。面材３ｂと底板８ｂをダボ２２で接合して筒形７ｂを組立てる。筒形７ｂを組立てる半ば途中の段階で、底板８ｂの上に軟質樹脂製の防水袋９を載せて、防水袋９に設けた穴を挟んで嵌め合わせて接合した樹脂製の配管継手１０を底板８ｂや面材３ｂに設けた貫通穴１１に取付ける。組立てた筒形７ｂの胴回りを小さなピンを差して設けた外輪止め１３の上の位置でワイヤーロープ２３と締付け金物２４から成る外輪１２ｂで仮締めする。防水袋９の開口部をステンレス丸棒の内輪１７ｂに通して折り返し、内輪１７ｂを防水袋９で包んだ状態でダボ穴２１に取付けたL型の突起２５の上に載せる。筒形７ｂの胴回りをワイヤーロープ２３と締付け金物２４から成る外輪１２ｂで本締めして構造体１４ｂを形成する。木製の土台１５ｂに設けた切欠き１６ｂに面材３ｂを嵌めて土台１５ｂが底板８ｂを直接支持するように、構造体１４ｂを土台１５ｂに載せる。内輪１７ｂの上に木板の蓋１８を載せて構造体１４ｂの上部に積層木材でできた蓋外輪１９を嵌める。配管継手１０に蛇口２０や配管を取付ける。
【００２０】
図７において、図６で示した雨水貯留槽の作用を表している。家屋の縦樋２７の途中に市販のオーバーフロー機能内蔵の雨水集水装置２８を設け、雨水集水装置２８から雨水貯留槽の底板８ｂに設けた配管継手１０までを遮光性のホース２９でつなぎ、降雨時に雨水を雨水貯留槽内に注入して貯留する。蓋１８には気密性がないので、入る雨水の量だけ空気が蓋の隙間から出ていく。雨水貯留槽の面材３ｂに設けた配管継手１０に蛇口２０を取付けて、貯留した雨水を如雨露散水や雑水などに利用する。
【００２１】
図８において、図１に示した雨水貯留槽の外観に近似し図２および図６に示した構成とは異なる他例を表している。１６枚の木の板１を耐水加工紙のシート２と接着剤で貼付け連結した一方向に曲折自在な面材３ｃには、補強用の合成繊維製の帯２６がタッカーで貼
付けられ、ダボ穴２１が設けられている。鉤の手型の突起２５ｂの背面のピンをダボ穴２１に差し、硬質樹脂製の輪状の芯材５ｂを突起２５ｂに掛けながら、面材３ｃを芯材５ｂに巻いて筒形７ｃを組立てる。筒形７ｃを組立てる半ば途中の段階で、底板８を芯材５ｂの上に載せ、その上に軟質樹脂製の防水袋９を載せて、防水袋９に設けた穴を挟んで嵌め合わせて接合した樹脂製の配管継手１０を底板８や面材３ｃに設けた貫通穴１１に取付ける。組立てた筒形７ｃの胴回りを小さなピンを差して設けた外輪止め１３の上の位置でワイヤーロープ２３と締付け金物２４から成る外輪１２ｂで仮締めする。防水袋９の開口部を２個目の芯材５ｂに通して折り返し、芯材５ｂを防水袋９で包んだ状態でダボ穴２１に取付けたL型の突起２５の上に載せる。筒形７ｃの胴回りをワイヤーロープ２３と締付け金物２４から成る外輪１２ｂで本締めして構造体１４ｃを形成する。木製の土台１５ｂに設けた切欠き１６ｂに面材３ｃを嵌めて土台１５ｂが芯材５ｂを直接支持するように、構造体１４ｃを土台１５ｂに載せる。芯材５ｂの上に木板の蓋１８を載せて構造体１４ｃの上部に積層木材でできた蓋外輪１９を嵌める。配管継手１０に蛇口２０やホース２９などの配管を取付ける。
【図面の簡単な説明】
【００２２】
【図１】雨水貯留槽の外観斜視図。
【図２】図１に示す雨水貯留槽の構成を表すためにパーツ分解した斜視図。
【図３】図１に示す雨水貯留槽の作用を表した縦断面図。
【図４】図１に示す雨水貯留槽の作用を表した縦断面図。
【図５】図１に示す雨水貯留槽の作用を表した縦断面図。
【図６】雨水貯留槽の構成の他例を表すためにパーツ分解した斜視図。
【図７】図６に示す雨水貯留槽の作用を表した縦断面図。
【図８】雨水貯留槽の構成の他例を表した縦断面図。
【符号の説明】
【００２３】
１．    板
２．    シート
３．    面材
３ｂ．  面材
３ｃ．  面材
４．    面ファスナーＡ面
５．    芯材
５ｂ．  芯材
６．    面ファスナーＢ面
７．    筒形
７ｂ．  筒形
７ｃ．  筒形
８．    底板
８ｂ．  底板
９．    防水袋
１０．  配管継手
１１．  貫通穴
１２．  外輪
１２ｂ．外輪
１３．  外輪止め
１４．  構造体
１４ｂ．構造体
１４ｃ．構造体
１５．  土台
１５ｂ  土台
１６．  切欠き
１６ｂ．切欠き
１７．  内輪
１７ｂ．内輪
１８．  蓋
１９．  蓋外輪
２０．  蛇口
２１．  ダボ穴
２２．  ダボ
２３．  ワイヤーロープ
２４．  締付け金物
２５．  突起
２５ｂ．突起
２６．  帯
２７．  縦樋
２８．  雨水集水装置
２８ｂ．雨水集水装置
２９．  ホース
２９ｂ．ホース
３０．  浸透枡
３１．  コック
３２．  管
３３．  自動灌水装置
【図１】
0003147989.tif 000003
【図２】
0003147989.tif 000004
【図３】
0003147989.tif 000005
【図４】
0003147989.tif 000006
【図５】
0003147989.tif 000007
【図６】
0003147989.tif 000008
【図７】
0003147989.tif 000009
【図８】
0003147989.tif 000010